(57)【要約】【課題】身体の不快感を改善することができる生理感知構造を提供する。【解決手段】生理感知構造は本体１０、スライド体２０及び感知モジュール３０を有する組合せ設計である。スライド体２０は本体１０の一面上に結合され、本体１０には少なくとも一個の開口１１を設置する。スライド体２０は保留長さ２１を有し、感知モジュール３０はスライド体２０上に結合し、本体１０の開口１１外に露出し、これにより感知モジュール３０はスライド体２０の保留長さ２１により移動を行い、感知モジュール３０は感知位置変換の性能を備える。これにより、身体の異なる位置の生理信号を感知でき、且つその不連動設計により、感知モジュール３０の安定性を提供し、感知モジュール３０が長時間同一位置を圧迫することにより生じる身体の不快感を改善することができる。【選択図】図１
0003202655.tif 000002
【実用新案登録請求の範囲】
【請求項１】
生理感知構造であって、本体、スライド体、感知モジュールを有し、
前記本体には、少なくとも一個の開口を設置し、
前記スライド体は、前記本体の一面上に結合され、且つ前記スライド体は、保留長さを有し、
前記感知モジュールは、前記スライド体上に結合し、且つ前記感知モジュールは、前記本体の開口外に露出し、これにより前記感知モジュールは、前記スライド体の保留長さにより移動することを特徴とする生理感知構造。
【請求項２】
前記本体の開口はさらに、横方向状或いは縦方向状で、
且つ前記本体はさらに、素材布、ファブリック、シート等の内の任意の一種であることを特徴とする請求項１に記載の生理感知構造。
【請求項３】
前記本体の開口の内面には、片層をさらに結合し、
前記片層は、前記本体の開口に対応し、対応開口を設置し、
前記片層はさらにプラスチック、素材布、シート等の内の任意の一種であることを特徴とする請求項１或いは請求項２に記載の生理感知構造。
【請求項４】
前記本体の開口の内面には、２個の片層をさらに結合し、
前記２個の片層は、前記本体の開口の左側と右側にそれぞれ位置し、メッシュを形成し、
これにより、前記本体の開口はメッシュ位置に対応し、前記片層はさらに、プラスチック、素材布、シート等の内の任意の一種であることを特徴とする請求項１或いは請求項２に記載の生理感知構造。
【請求項５】
前記スライド体の保留長さはさらに、少なくとも一個の弾性段を設置することを特徴とする請求項１に記載の生理感知構造。
【請求項６】
前記本体はさらに、前記ファブリックの内層に結合され、
前記ファブリックはさらに、衣服、ズボン、手袋、下着、ベスト、ブラジャー、ベアトップ等の内の任意の一種で、且つ前記ファブリックは、弾性材質編織、或いは非弾性材質編織を採用することを特徴とする請求項１に記載の生理感知構造。
【請求項７】
前記本体はさらに、両端に弾性体をそれぞれ結合することを特徴とする請求項１に記載の生理感知構造。
【請求項８】
前記スライド体と前記本体の結合方式はさらに、前記スライド体の両端と前記本体上とに、対応する接合部をそれぞれ設置することを特徴とする請求項１に記載の生理感知構造。
【請求項９】
前記結合は縫合方式、超音波方式、熱溶融合方式或いは接着剤方式等の内の任意の一種を採用することを特徴とする請求項１或いは請求項６或いは請求項７に記載の生理感知構造。
【請求項１０】
前記感知モジュールと前記スライド体との結合方式は、前記感知モジュールと前記スライド体上に、対応するラッチング部をそれぞれ設置することを特徴とする請求項１に記載の生理感知構造。
【請求項１１】
前記感知モジュールと前記スライド体の結合方式は、前記感知モジュールを前記スライド体上にそのまま固定することを特徴とする請求項１に記載の生理感知構造。
【請求項１２】
前記感知モジュールには、身体表層生理信号を感知する電極片をさらに設置し、
前記電極片は、信号伝送接点とさらに連接することを特徴とする請求項１に記載の生理感知構造。
【請求項１３】
前記感知モジュールには、傾斜感知チップ及びマイクロコントローラーをさらに設置し、
前記マイクロコントローラーは、前記傾斜感知チップと連接し、
前記マイクロコントローラーを通して、前記傾斜感知チップの変化を感知することを特徴とする請求項１に記載の生理感知構造。
【考案の詳細な説明】
【技術分野】
【０００１】
本考案は生理感知構造に関し、特に本体、スライド体及び感知モジュールの組合せ設計により、感知モジュールは感知位置変換の性能を備え、長時間同一位置を圧迫することによる皮膚が赤く腫れる現象の出現を改善し、生理感知衣、傾斜感知衣等、或いは類似構造に適用可能な生理感知構造に関する。
【背景技術】
【０００２】
近年のテクノロジーの発達に従い、感知モジュールと衣服とを結合し、身体の生理状況を検査及び記録し、在宅健康自主管理或いは予防医療に運用する取り組みが研究されている。
【０００３】
現在、感知モジュールと衣服との結合時には、多くが固定式を採用している。つまり、感知モジュールを、必要な感知位置（胸元など）に縫合し、これにより感知モジュールは、皮膚表層に接触し、人体生理信号の感知を行うことができる。
生理信号の測定時には、信号が出たり出なかったりの不安定な現象の出現を回避するため、感知モジュールは皮膚表層と随時、接触状態を保持しなければならない。
【０００４】
しかし、従来の固定式構造を採用し衣服に結合する感知モジュールでは、ある程度の時間の測定後、感知モジュールが皮膚表層に密着することで、皮膚表層に赤く腫れる現象が生じ、被測定者が不快を感じ易い。
よって、本考案人は上記した欠点に鑑み、感知モジュールが感知位置変換の性能を備えた生理感知構造を開発することで、使用者は簡易に操作して取り付けでき、使用者に利便性を提供することができる。
【考案の概要】
【考案が解決しようとする課題】
【０００５】
本考案の主要な目的は、本体、スライド体及び感知モジュールの組合せ設計を有し、本体には少なくとも一個の開口を設置し、スライド体は本体の一面上に結合され、且つスライド体は保留長さを有し、感知モジュールはスライド体上に結合し、且つ感知モジュールは本体の開口外に露出し、これにより感知モジュールはスライド体の保留長さにより移動を行い、感知モジュールは本体の開口位置において左右移動ができ、感知位置変換の性能を備え、身体の異なる位置の生理信号を感知することができ、且つその不連動設計により感知モジュールの安定性を提供し、感知モジュールが長時間同一位置を圧迫することによる、皮膚が赤く腫れる現象の出現、或いは長時間の圧迫により生じる身体の不快感を改善することができ、こうして全体の実用性を拡大することができる生理感知構造に関する。
【０００６】
本考案の次の目的は、本考案の本体はファブリックの内層に結合され、本体はファブリック上に固定され、且つその結合は縫合方式、超音波方式、熱溶融合方式或いは接着剤方式の内の任意の一種で、ファブリックは衣服、ズボン、手袋、下着、ベスト、ブラジャー、ベアトップ等の内の任意の一種で、これによりファブリックを人体が着用後、ファブリックそのものは弾性材質編織の方式を採用し、或いは別に本体の両端に弾性体をそれぞれ結合する方式を採用し、ファブリックの内層に結合する本体は、束縛の効果を備え、皮膚に密着し、本体の開口外に露出する感知モジュールを、感知が必要な位置の皮膚上に密着させられ、本考案の感知モジュールは、身体表層位置に向かい移動する性能を備え、感知モジュールの接触面と身体表層との密着性を高め、こうして身体表層との接触効果を高めることができ、全体的な使用の密着性を高めることができる生理感知構造に関する。
【０００７】
本考案のもう一つの目的は、スライド体の保留長さに、少なくとも一個の弾性段を設置し、弾性段はスライド体の感知モジュールの両端にそれぞれ設置され、感知モジュールはスライド体上の位置で弾性を備えず、スライド体の感知モジュールの両端に設置する弾性段により、感知モジュールは、スライド移動を生じることができ、スライド体の感知モジュールが本体の開口外に露出する時の平坦性を保持し、感知モジュールの感知位置の調整に便利で、こうしてスライド体の保留長さは、弾性調整の性能を有し、全体の実用性を拡大することができる生理感知構造に関する。
【課題を解決するための手段】
【０００８】
上述の目的を達成するため、本考案による生理感知構造は、本体、スライド体及び感知モジュールを有する。
該本体には、少なくとも一個の開口を設置する。
該スライド体は、該本体の一面上に結合され、且つ該スライド体は、保留長さを有する。
該感知モジュールは、該スライド体上に結合し、且つ該感知モジュールは、該本体の開口外に露出する。
これにより、該感知モジュールは、該スライド体の保留長さにより、移動する。
【考案の効果】
【０００９】
本考案は、感知位置変換の性能を備え、身体の異なる位置の生理信号を感知することができ、且つその不連動設計により感知モジュールの安定性を提供し、感知モジュールが長時間同一位置を圧迫することによる、皮膚が赤く腫れる現象の出現、或いは長時間の圧迫により生じる身体の不快感を改善することができ、こうして全体の実用性を拡大することができる。
【図面の簡単な説明】
【００１０】
【図１】本考案第一実施形態の立体外観模式図である。
【図２】本考案第一実施形態のパーツ分解模式図である。
【図３】本考案第一実施形態の感知モジュールが移動する様子の模式図である。
【図４】本考案第一実施形態の開口内面に片層を結合する様子の模式図である。
【図５】本考案第二実施形態の立体外観模式図である。
【図６】本考案第二実施形態の感知モジュールが移動する様子の模式図である。
【図７】本考案第三実施形態の立体外観模式図である。
【図８】本考案第三実施形態の感知モジュールが移動する様子の模式図である。
【図９】本考案第四実施形態の本体がファブリックに結合する様子の外観模式図である。
【図１０】本考案第四実施形態の本体においてファブリック上の開口の内面に片層を結合する様子の模式図である。
【図１１】本考案第四実施形態の本体においてファブリック上の感知モジュールが移動する様子の模式図である。
【図１２】本考案第四実施形態の本体においてファブリック上の両側に弾性体が結合する様子の模式図である。
【考案を実施するための形態】
【００１１】
以下に本考案の技術内容、構造特徴、達成する目的及び作用効果について、例を挙げ並びに図面を組み合わせて詳細に説明する。
【００１２】
図１〜図１２は、本考案実施形態の模式図である。本考案の生理感知構造の最適実施形態は、身体表層の生理信号或いは身体傾斜角度の変化の感知に運用し、且つ感知位置変換の性能を備え、身体の異なる位置の生理信号を感知することができる。且つその不連動設計により、感知モジュール３０の安定性を提供し、こうして長時間同一位置が圧迫されることによる皮膚が赤く腫れる現象の出現、或いは長時間の圧迫による身体の不快感の発生を改善でき、これによりその実用性を増強できる。
【００１３】
本考案生理感知構造の第一実施形態は、本体１０、スライド体２０及び感知モジュール３０を有する（図１参照）。
本体１０には、少なくとも一個の開口１１を設置し、開口１１は、横方向状或いは縦方向状である（本実施形態では、横方向状とする）。且つ本体１０は、素材布、ファブリック、シート等の内の任意の一種（本考案の実施形態では、素材布を採用する）である。シートは、樹脂材質のシート、金属材質のシート、カーボン材質のシート等或いは他の材質のシートである。
スライド体２０は、本体１０の一面上に結合する（本実施形態のスライド体２０は、弾性材質を備えない）。その結合は、縫合方式、超音波方式、熱溶融合方式或いは接着剤方式等の内の任意の一種を採用し、或いはスライド体２０の両端と本体１０上とに、対応する接合部をそれぞれ設置する（ボタン、ストレイン・リリーフ・ブッシング、マジックテープ（登録商標）等、本実施形態では、縫合方式を採用する）。スライド体２０は、保留長さ２１を有し、スライド体２０は、移動性能を備える。
さらに、感知モジュール３０は、スライド体２０上に結合する。その結合方式は、感知モジュール３０とスライド体２０上に、対応するラッチング部２２、３１をそれぞれ設置（凹凸部材、オスメス部材等。図２参照）、し、或いは感知モジュール３０をスライド体２０上にそのまま固定する（縫合方式、超音波方式、熱溶融合方式或いは接着剤方式等の内の任意の一種を採用する）。感知モジュール３０は、本体１０の開口１１外に露出し、且つ感知モジュール３０は、接触面を有し、感知モジュール３０の接触面により、身体表層に接触し、身体表層の生理信号を感知する。これにより、感知モジュール３０は、スライド体２０の保留長さ２１により、本体１０の開口１１内で、スライド移動を行い、感知位置変換の性能を備える（図３参照）。
【００１４】
本考案生理感知構造の第二実施形態は、本体１０、スライド体２０及び感知モジュール３０を有する（図５参照）。
本体１０には、２個の開口１１を設置する。２個の開口１１は、横方向状或いは縦方向状である（本実施形態では、２個の縦方向状とする）。且つ本体１０は、素材布、ファブリック、シート等の内の任意の一種（本考案の実施形態では、素材布を採用する）である。シートは、樹脂材質のシート、金属材質のシート、カーボン材質のシート等或いは他の材質のシートである。
スライド体２０は、本体１０の一面上に結合する（本実施形態のスライド体２０は、弾性材質を備えない）。その結合は、縫合方式、超音波方式、熱溶融合方式或いは接着剤方式等の内の任意の一種を採用し、或いはスライド体２０の両端と本体１０上とに、対応する接合部をそれぞれ設置する（ボタン、ストレイン・リリーフ・ブッシング、マジックテープ（登録商標）等。本実施形態では、縫合方式を採用する）。スライド体２０は、保留長さ２１を有し、こうしてスライド体２０は、移動性能を備える。
さらに、感知モジュール３０は、スライド体２０上に結合する。その結合方式は、感知モジュール３０とスライド体２０上に、対応するラッチング部２２、３１（凹凸部材、オスメス部材等。図２を同時に参照）をそれぞれ設置し、或いは感知モジュール３０をスライド体２０上にそのまま固定する（縫合方式、超音波方式、熱溶融合方式或いは接着剤方式等の内の任意の一種を採用する）。感知モジュール３０は、本体１０の開口１１外に露出する（本実施形態では、スライド体２０が本体１０上の２個の開口１１を通過し、且つ感知モジュール３０は、２個の開口１１の間に露出する）。且つ感知モジュール３０は、接触面を有し、感知モジュール３０の接触面により、身体表層に接触し、身体表層の生理信号を感知する。感知モジュール３０は、本体１０内部に位置するスライド体２０の保留長さ２１により、スライド移動動作を行い、感知モジュール３０は、本体１０の２個の開口１１の間で感知位置変換の性能を備える（図６参照）。
【００１５】
本考案生理感知構造の第三実施形態は、本体１０、スライド体２０及び感知モジュール３０を有する（図７参照）。
本実施形態の構造は、第一実施形態及び第二実施形態と同様だが、その主要な差異は、第一実施形態及び第二実施形態中のスライド体２０の保留長さ２１が、は少なくとも一個の弾性段２３を設置する点である。
本実施形態は、２個の開口１１を有し（本実施形態に制限されるものではなく、１個の開口１１の状態としても良い）、且つ弾性段２３は、スライド体２０の感知モジュール３０の両端にそれぞれ設置される。感知モジュール３０は、スライド体２０上の中央位置に結合され、弾性を備えない。
弾性段２３は、スライド体２０の編織時にいっしょに編織して形成し、或いは結合方式を採用し、弾性段２３とスライド体２０とを結合する。その結合は、縫合方式、超音波方式、熱溶融合方式或いは接着剤方式等の内の任意の一種を採用する。さらに、スライド体２０の感知モジュール３０の両端に設置する弾性段２３により、感知モジュール３０は、スライド移動を生じることができる（図８参照）。スライド体２０の感知モジュール３０が本体１０の開口１１外に露出する時の平坦性を保持し、感知モジュール３０の感知位置の調整に便利で、こうしてスライド体２０の保留長さ２１は、弾性調整の性能を有する。
【００１６】
本考案生理感知構造の第四実施形態は、本体１０、スライド体２０及び感知モジュール３０を有する。
本実施形態の構造は、第一実施形態、第二実施形態及び第三実施形態と同様だが、差異は、ファブリック４０との結合にある。
第一実施形態、第二実施形態及び第三実施形態中の本体１０は、ファブリック４０の内層に結合する（図９参照）。且つその結合は、縫合方式、超音波方式、熱溶融合方式或いは接着剤方式の内の任意の一種である。
ファブリック４０は、衣服、ズボン、手袋、下着、ベスト、ブラジャー、ベアトップ等の内の任意の一種で、且つ本実施形態では、ベストのファブリック４０を例とする。ベストのファブリック４０は、人の身体上に着用され（本考案の実施形態図では、ベストのファブリック４０を裏返した形式で、内側を図示する）、人の身体表層と接触を形成する。こうして、ベストのファブリック４０上の本体１０は、胸部、胸元等人の身体表層の特定位置に緊密に接触し、本体１０の開口１１外に露出する感知モジュール３０は、人の身体表層に密着し、且つファブリック４０は、弾性材質編織、或いは非弾性材質編織を採用する。
ファブリック４０に弾性材質編織を採用すると、ファブリック４０の弾性材質を通して、ファブリック４０の内層に結合する本体１０により人の身体表層上を束縛し、本体１０の開口１１外に露出する感知モジュール３０は、感知が必要な位置の身体表層上に密着する。これにより、感知モジュール３０は、身体表層位置に向かい移動する性能を備え、感知モジュール３０の接触面と身体表層との密着性を向上させ、こうして身体表層との接触効果を高めることができる。
【００１７】
第四実施形態中では、ファブリック４０を非弾性材質編織とする時、本体１０の両端に、弾性体５０をそれぞれ結合する（図１２参照）。その結合は、縫合方式、超音波方式、熱溶融合方式或いは接着剤方式の内の任意の一種である。且つ本体１０両端に結合する弾性体５０ファブリック４０の両側縫合線位置に連接でき、これにより弾性体５０は、本体１０をファブリック４０上に固定する。こうして、本体１０の開口１１外に露出する感知モジュール３０は、感知が必要な位置の身体表層上に密着し、感知モジュール３０は、身体表層位置に向かい移動する性能を備え、感知モジュール３０の接触面と身体表層との密着性を向上させ、こうして身体表層との接触効果を高めることができる。
【００１８】
さらに、本考案生理感知構造の第一実施形態、第二実施形態及び第三実施形態中において、本体１０の開口１１は実施時（本実施形態では、横方向状により実施する）に、本体１０の開口１１の内面には、片層６０を結合する（図４参照或いは図１０参照）。その結合は、縫合方式、超音波方式、熱溶融合方式或いは接着剤方式の内の任意の一種である。片層６０は、本体１０の開口１１に対応し、対応開口６１を設置する。これにより、スライド体２０上に位置する感知モジュール３０は、片層６０の対応開口６１及び本体１０の開口１１を通過し、外に露出する。且つ片層６０は、プラスチック、素材布（加工方式を通して、硬度がアクリル糸編織並みの素材布を生産する）、シート（樹脂材質のシート、金属材質のシート、カーボン材質のシート等或いは他の材質）等の内の任意の一種である。これにより、本体１０の開口１１の硬度を増強でき、感知モジュール３０は、本体１０の開口１１位置でスライド移動する時、スライド体２０が本体１０の開口１１から引き出されてしまうことを防ぎ、こうして感知モジュール３０がもともとのスライド移動軌跡から離脱し、使用不能となることを回避できる。
【００１９】
本体１０の開口１１の実施時、本体１０の開口１１の内面には、２個の片層（図示なし）を結合する。その結合は、縫合方式、超音波方式、熱溶融合方式或いは接着剤方式の内の任意の一種である。２個の片層は、本体１０の開口１１の左側と右側にそれぞれ位置し、メッシュを形成する（図示なし）。これにより、本体１０の開口１１は、メッシュ位置に対応し、スライド体２０上に位置する感知モジュール３０は、２個の片層のメッシュ位置及び本体１０の開口１１を通過し、外に露出する。且つ２個の片層は、プラスチック、素材布（加工方式を通して、硬度がアクリル糸編織並みの素材布を生産する）、シート（樹脂材質のシート、金属材質のシート、カーボン材質のシート等或いは他の材質）等の内の任意の一種で、こうして本体１０の開口１１の硬度を増強することができる。これにより、感知モジュール３０は、本体１０の開口１１位置でスライド移動する時、スライド体２０が本体１０の開口１１から引き出されてしまうことを防ぎ、こうして感知モジュール３０がもともとのスライド移動軌跡から離脱し、使用不能となることを回避できる。
【００２０】
本考案生理感知構造の第一実施形態、第二実施形態、第三実施形態及び第四実施形態において、感知モジュール３０の実施時には、第一実施形態では、身体表層の生理信号を測定できる電極片３０１を設置する（図１、図５、図７、及び図９参照）。且つ電極片３０１は、複数の非導電繊維糸及び複数の導電繊維糸を織って製造し、或いは電極片３０１は、全体を複数の導電繊維糸を織って製造し、こうして電極片３０１全体は、導電効果を有する。上述の電極片３０１の複数の導電繊維糸は、織って、導電エリアを形成でき、電極片３０１の導電エリアを、身体皮膚上に密着させることで、生理信号の測定を有利に進めることができる。生理信号は、体温、心拍、脈拍の内の任意の一種である。
【００２１】
本考案による生理感知構造の第一実施形態、第二実施形態、第三実施形態及び第四実施形態において、感知モジュール３０の実施時には、第二実施形態では、傾斜感知チップ及びマイクロコントローラー３０２（図１２参照）を設置し、マイクロコントローラー３０２は、傾斜感知チップと連接し、マイクロコントローラー３０２を通して傾斜感知チップの変化を感知する。
【００２２】
傾斜感知チップは、３軸加速度センサー（Ｔｈｒｅｅ  Ａｘｉｓ  Ｌｏｗ-ｇ  Ｍｉｃｒｏｍａｃｈｉｎｅｄ  Ａｃｃｅｌｅｒｏｍｅｔｅｒ）である。３軸加速度センサーは、Ｘ、Ｙ、Ｚの３つの軸の傾斜角度と加速度により算出し、マイクロコントローラー３０２により定時に計測し伝送する。
傾斜角度は、±１．０度、或いは±１．５度、或いは±２．０度以上などにより、眩暈や転倒などの現象の有無を判断する。
マイクロコントローラー３０２は、設定時に測定回数を定量とし測定する。
例えば、３０秒以内の平均測定値を、±１．０度（或いは±１．５度、±２．０度）以上などに設定し、異常傾斜と認定する。
【００２３】
或いは９軸姿勢センサー（図示なし）を採用することもできる。
９軸姿勢センサーは、３軸加速度センサー、３軸磁場センサー、３軸ジャイロセンサーを含む。磁場範囲は、±１．３／１．９／２．５／４．０／４．７／５．０／８．１ガウスである。加速度範囲は、±２ｇ／±４ｇ／±８ｇで、ジャイロ範囲は±２５０／５００／２０００ｄｐｓである。
上述の範囲値を通して、姿勢に異常がないかどうかをモニターし、範囲値を超えた場合には、異常傾斜と認定する。且つ、上述の傾斜或いは姿勢変化が設定値を超過すると、マイクロコントローラー３０２は無線信号発信器（図示なし）を通して、信号を直ちに伝送する。
【００２４】
本考案による生理感知構造の第四実施形態において、ファブリック４０上には、信号伝送接点７０（図１１参照）を設置する。信号伝送接点７０は、少なくとも１個の感知モジュール３０と相互に連接する。これにより、感知モジュール３０が検知測定した生理信号或いは身体傾斜角度の変化を、信号伝送接点７０に伝送する。信号伝送接点７０には、信号伝送器（図示なし）を組み合わせ、且つ信号伝送器内には、無線伝送モジュールを設置し、これにより生理信号或いは身体傾斜角度の変化を電子デバイス（スマートフォン、スマートタブレットＰＣ、ノートＰＣ、デスクトップＰＣ、医療設備など）、或いはクラウドシステムに無線で伝送することができる。こうして、その測定結果の理解が便利になり、予防医療を行うことができる。
【００２５】
さらに、生理感知構造の第一実施形態、第二実施形態、第三実施形態及び第四実施形態は実施時に、すべて本体１０、スライド体２０及び感知モジュール３０の組合せ設計により、且つ本体１０には、少なくとも一個の開口１１を設置し、スライド体２０は、本体１０の一面上に結合し、且つスライド体２０は、保留長さ２１を有し、感知モジュール３０は、スライド体２０上に結合する。且つ感知モジュール３０は、本体１０の開口１１外に露出し、これにより感知モジュール３０はスライド体２０の保留長さ２１により移動を行い、こうして感知モジュール３０は本体１０の開口１１位置において左右移動が可能となり、感知位置変換の性能を備え、身体の異なる位置の生理信号を感知することができる。且つその不連動設計により、感知モジュール３０の安定性を提供し、感知モジュール３０が、長時間同一位置を圧迫することによる、皮膚が赤く腫れる現象の出現、或いは長時間の圧迫により生じる身体の不快感を改善することができる。
【００２６】
図６〜図１２に示すとおり、本考案の第二実施形態は、少なくとも１個のモーター伝動装置Ｓを有する。モーター伝動装置Ｓは、ドラムディスクディスペンサー１のブレーキオイルラインディスペンサーを伝動する。
【００２７】
総合すると、本考案は確実に予期された作用効果と目的を達成し、並びにこの技術に習熟した者がこれをもとに実施できるほどに詳細に説明されたが、以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【符号の説明】
【００２８】
１０  本体
１１  開口
２０  スライド体
２１  保留長さ
２２  ラッチング部
２３  弾性段
３０  感知モジュール
３１  ラッチング部
３０１  電極片
３０２  マイクロコントローラー
４０  ファブリック
５０  弾性体
６０  片層
６１  対応開口
７０  信号伝送接点
【図１】
0003202655.tif 000003
【図２】
0003202655.tif 000004
【図３】
0003202655.tif 000005
【図４】
0003202655.tif 000006
【図５】
0003202655.tif 000007
【図６】
0003202655.tif 000008
【図７】
0003202655.tif 000009
【図８】
0003202655.tif 000010
【図９】
0003202655.tif 000011
【図１０】
0003202655.tif 000012
【図１１】
0003202655.tif 000013
【図１２】
0003202655.tif 000014
【手続補正書】
【提出日】平成27年12月4日(2015.12.4)
【手続補正１】
【補正対象書類名】実用新案登録請求の範囲
【補正対象項目名】全文
【補正方法】変更
【補正の内容】
【実用新案登録請求の範囲】
【請求項１】
生理感知構造であって、本体、スライド体、感知モジュールを有し、
前記本体には、少なくとも一個の開口を設置し、
前記スライド体は、前記本体の一面上に結合され、且つ前記スライド体は、保留長さを有し、
前記感知モジュールは、前記スライド体上に結合し、且つ前記感知モジュールは、前記本体の開口外に露出し、これにより前記感知モジュールは、前記スライド体の保留長さにより移動することを特徴とする生理感知構造。
【請求項２】
前記本体の開口はさらに、横方向状或いは縦方向状で、
且つ前記本体はさらに、素材布、ファブリック、シートの内の任意の一種であることを特徴とする請求項１に記載の生理感知構造。
【請求項３】
前記本体の開口の内面には、片層をさらに結合し、
前記片層は、前記本体の開口に対応し、対応開口を設置し、
前記片層はさらにプラスチック、素材布、シートの内の任意の一種であることを特徴とする請求項１或いは請求項２に記載の生理感知構造。
【請求項４】
前記本体の開口の内面には、２個の片層をさらに結合し、
前記２個の片層は、前記本体の開口の左側と右側にそれぞれ位置し、メッシュを形成し、
これにより、前記本体の開口はメッシュ位置に対応し、前記片層はさらに、プラスチック、素材布、シートの内の任意の一種であることを特徴とする請求項１或いは請求項２に記載の生理感知構造。
【請求項５】
前記スライド体の保留長さはさらに、少なくとも一個の弾性段を設置することを特徴とする請求項１に記載の生理感知構造。
【請求項６】
前記本体はさらに、ファブリックの内層に結合され、
前記ファブリックはさらに、衣服、ズボン、手袋、下着、ベスト、ブラジャー、ベアトップの内の任意の一種で、且つ前記ファブリックは、弾性材質編織、或いは非弾性材質編織を採用することを特徴とする請求項１に記載の生理感知構造。
【請求項７】
前記本体はさらに、両端に弾性体をそれぞれ結合することを特徴とする請求項１に記載の生理感知構造。
【請求項８】
前記スライド体と前記本体の結合方式はさらに、前記スライド体の両端と前記本体上とに、対応する接合部をそれぞれ設置することを特徴とする請求項１に記載の生理感知構造。
【請求項９】
前記結合は縫合方式、超音波方式、熱溶融合方式或いは接着剤方式の内の任意の一種を採用することを特徴とする請求項１或いは請求項６或いは請求項７に記載の生理感知構造。
【請求項１０】
前記感知モジュールと前記スライド体との結合方式は、前記感知モジュールと前記スライド体上に、対応するラッチング部をそれぞれ設置することを特徴とする請求項１に記載の生理感知構造。
【請求項１１】
前記感知モジュールと前記スライド体の結合方式は、前記感知モジュールを前記スライド体上にそのまま固定することを特徴とする請求項１に記載の生理感知構造。
【請求項１２】
前記感知モジュールには、身体表層生理信号を感知する電極片をさらに設置し、
前記電極片は、信号伝送接点とさらに連接することを特徴とする請求項１に記載の生理感知構造。
【請求項１３】
前記感知モジュールには、傾斜感知チップ及びマイクロコントローラーをさらに設置し、
前記マイクロコントローラーは、前記傾斜感知チップと連接し、
前記マイクロコントローラーを通して、前記傾斜感知チップの変化を感知することを特徴とする請求項１に記載の生理感知構造。